(57)【要約】  移動端末がセルを効率的に発見できるようにする。基地局装置は、第１のセルに在圏する移動端末と無線通信が可能であり、記憶部と送信部を備える。記憶部は、移動端末の移動先となり得る第２のセルの位置情報を記憶する。送信部は、移動端末に第２のセルの位置情報を送信し、移動端末に位置情報を用いて第２のセルへの接近を検知させる。
2015019406.tif 000002
【特許請求の範囲】
【請求項１】
第１のセルに在圏する移動端末と無線通信が可能な基地局装置であって、
前記移動端末の移動先となり得る第２のセルの位置情報を記憶する記憶部と、
前記移動端末に前記第２のセルの位置情報を送信し、前記移動端末に前記位置情報を用いて前記第２のセルへの接近を検知させる送信部
を備える基地局装置。
【請求項２】
第１の周波数帯域での通信が行われる前記第１のセルから、前記第１の周波数帯域とは異なる第２の周波数帯域での通信が行われる前記第２のセルへ、前記移動端末がハンドオーバするための処理を行うハンドオーバ処理部
をさらに備え、
前記ハンドオーバ処理部は、前記移動端末が前記第２のセルへの接近を検知したことを前記移動端末から通知された後に、前記移動端末が前記第２の周波数帯域での通信の開始に使用する情報を、前記送信部を介して、前記移動端末に送信する
ことを特徴とする請求項１に記載の基地局装置。
【請求項３】
前記第１のセルを用いた通信の開始を要求する要求メッセージを、前記移動端末から受信する受信部
をさらに備え、
前記送信部は、前記受信部が前記要求メッセージを受信すると、前記位置情報を前記移動端末に送信する
ことを特徴とする請求項１または２に記載の基地局装置。
【請求項４】
前記第１のセルを用いた通信の開始を要求する要求メッセージを、前記移動端末から受信する受信部と、
前記移動端末の移動速度を計算する計算部と、
前記要求メッセージの受信から、前記位置情報の送信を行うまでの時間間隔を、前記移動速度が速いほど長くなるように調整する調整部
をさらに備え、
前記送信部は、前記時間間隔が経過すると、前記位置情報を前記移動端末に送信する
ことを特徴とする請求項１または２に記載の基地局装置。
【請求項５】
前記記憶部は、前記第１のセルを分割することにより得られる複数のセクタの各々を識別するセクタ識別子と、前記セクタ識別子で識別されるセクタと少なくとも１点を共有するセルを対応付けて記憶し、
前記送信部は、前記移動端末が位置するセクタと少なくとも１点を共有するセルの位置情報を、前記移動端末に通知する
ことを特徴とする請求項１〜４のいずれか１項に記載の基地局装置。
【請求項６】
第１のセルで基地局装置と通信可能な移動端末であって、
前記第１のセルからの移動先となり得る第２のセルの位置情報を前記基地局装置から受信する受信部と、
前記移動端末の位置を特定する特定部と、
前記位置情報および前記移動端末の位置を用いて前記第２のセルへの接近を検出する検出部と、
前記第２のセルへの接近を通知する通知情報を、前記基地局装置に送信する送信部
を備える移動端末。
【請求項７】
第１の周波数帯域での通信が行われる前記第１のセルから、第２の周波数帯域で通信が行われる前記第２のセルへハンドオーバするための処理を行うハンドオーバ処理部
を備え、
前記送信部は、前記第１の周波数帯域を使用して、前記通知情報を前記基地局装置に送信し、
前記受信部は、前記第２の周波数帯域での通信の開始に用いる開始情報を、前記送信部が前記通知情報を送信した後に、前記基地局装置から受信し、
前記ハンドオーバ処理部は、前記開始情報を用いて、前記第１のセルから前記第２のセルへのハンドオーバを行う
ことを特徴とする請求項６に記載の移動端末。
【請求項８】
前記第１のセルが複数のセクタに分割されており、前記移動端末は、前記複数のセクタのうちの通信対象のセクタに位置し、
前記受信部は、前記通信対象のセクタと少なくとも１点を共有するセルの位置情報を、取得する
ことを特徴とする請求項６または７に記載の移動端末。
【請求項９】
前記検出部は、前記移動端末の位置との距離が閾値以下のセルを検出することにより、前記第２のセルを検出する
ことを特徴とする請求項６〜８のいずれか１項に記載の移動端末。
【請求項１０】
第１のセルを提供する基地局装置と、
前記第１のセルで基地局装置と通信可能な移動端末、
を備え、
前記基地局装置は、前記移動端末の移動先となり得る第２のセルの位置情報を、前記移動端末に送信し、
前記移動端末は、
前記移動端末の位置を特定し、
前記位置情報および前記移動端末の位置を用いて前記第２のセルへの接近を検出し、
前記第２のセルへの接近を通知する通知情報を、前記基地局に送信する
ことを特徴とする無線通信システム。
【請求項１１】
前記第１のセルで第１の周波数帯域を用いた通信が行われ、
前記第２のセルで第２の周波数帯域での通信が行われ、
前記基地局装置は、前記通知情報を受信すると、前記移動端末が前記第２の周波数帯域での通信の開始に使用する開始情報を、前記移動端末に送信し、
前記移動端末は、前記開始情報を用いて、前記第２のセルを用いた通信を開始する
ことを特徴とする請求項１０に記載の無線通信システム。
【請求項１２】
前記基地局装置は、
前記基地局装置との通信の開始を要求する要求メッセージを、前記移動端末から受信すると、前記移動端末の移動速度を計算し、
前記要求メッセージの受信から、前記位置情報の送信を行うまでの時間間隔を、前記移動速度が速いほど長くなるように調整し、
前記要求メッセージの受信から前記時間間隔が経過すると、前記位置情報を前記移動端末に送信する
ことを特徴とする請求項１０または１１に記載の無線通信システム。
【発明の詳細な説明】
【技術分野】
【０００１】
本発明は、移動端末と基地局の間の通信に関する。
【背景技術】
【０００２】
近年、データ通信量の増加に対応するために、スモールセルを活用することが試みられてきている。ここで、「スモールセル」は、セル半径や同時にアクセス可能なユーザ数がマクロセルに比べて小さいセルを指す。スモールセルは、マクロセルのユーザ数の増加やユーザ１人あたりの通信量の増加に対応するために、マクロセル内に設置されることがある。この場合、マクロセルとスモールセルの間での干渉を軽減するために、スモールセルは、そのスモールセルを含むマクロセルで使用される周波数帯域と異なる周波数帯域を使用して通信するように設定されることが多い。【０００３】
移動端末は、スモールセルの基地局へのハンドオーバを行うために、ハンドオーバ先のスモールセルに割り当てられている物理セルＩＤ（ＰＣＩ、physical cell identifier）を特定する。このとき、移動端末は、ハンドオーバ先のスモールセルが通信に使用している周波数帯域での処理を行う。従って、マクロセルとの通信中にハンドオーバ先のスモールセルの情報を取得しようとする移動端末は、マクロセルを介した通信に使用する周波数帯域と、スモールセルでの通信に使用される周波数帯域の両方での処理を行うことになる。しかし、移動端末が複数の周波数帯域での通信処理を行うと、移動端末の消費電力が増大する。さらに、スモールセルから離れた位置にいる移動端末では、物理セルＩＤを取得できるまで、処理を繰り返してしまうため、スモールセルの検索のために消費する電力がさらに大きくなってしまう。【０００４】
そこで、移動端末が、フィンガープリント情報を用いて、移動端末の近傍にスモールセルがあるかを判定する方法が提案されている。フィンガープリント情報は、スモールセルに在圏した際に生成され移動端末の記憶媒体に格納される情報であって、当該スモールセルに在圏した際の移動端末の位置情報などの当該スモールセルに関する位置情報を含む。移動端末は、記憶媒体に格納されているフィンガープリント中の位置情報と、現時点の移動端末の位置を比較することにより、近傍にあると判定したスモールセルについて、物理セルＩＤの特定を行う。【０００５】
関連する技術として、アクセス可能なスモールセルを示すリストを記憶する移動端末が考案されている。この移動端末は、基地局からネットワークポリシを受信すると、リストに含まれるアクセス可能なスモールセルに関する情報から、スモールセルが位置的にアクセス可能であるかを判定する。このとき、アクセス可能なスモールセルに関する情報として、フィンガープリント情報が使用される。移動端末は、判定結果を基地局に通知する（例えば、特許文献１など）。さらに、移動端末のハンドオーバ先を基地局が決定する方法についても提案されている。この方法では、ハンドオーバ先を決定する基地局は、同じ物理セル識別子を転送する基地局のリストを、フィンガープリントテーブルを用いて縮小し、ハンドオーバ先を特定する（例えば、特許文献２など）。
【先行技術文献】
【特許文献】
【０００６】
【特許文献１】特開２０１３−３１２２４号公報
【特許文献２】特開２０１１−１０９６６６号公報
【発明の概要】
【発明が解決しようとする課題】
【０００７】
フィンガープリント情報を用いる通信方式では、移動端末は、フィンガープリント情報を用いてスモールセルが近傍にあると判定した場合、当該スモールセルの検索を開始する。しかし、従来のフィンガープリント情報は、移動端末が在圏したことが無いセルに関する情報を含まない。このため、従来のフィンガープリント方式を用いると、移動端末は、移動端末が在圏したことが無いスモールセルを効率的に発見することが難しい。一方、フィンガープリント方式を用いずにハンドオーバ先のスモールセルを検索すると、移動端末はスモールセルから離れたところに位置している場合でも、検索処理を行ってしまうので検索効率が悪い上、移動端末の消費電力が大きくなってしまう。なお、移動端末に、通信に使用している周波数帯域とは異なる周波数帯域に設定されているセルを効率的に検索させる方法は、マクロセルについても得られていない。【０００８】
本発明は、１つの側面として、移動端末がセルを効率的に発見できるようにすることを目的とする。
【課題を解決するための手段】
【０００９】
本発明の１つの態様の基地局装置は、第１のセルに在圏する移動端末と無線通信が可能であり、記憶部と送信部を備える。記憶部は、前記移動端末の移動先となり得る第２のセルの位置情報を記憶する。送信部は、前記移動端末に前記第２のセルの位置情報を送信し、前記移動端末に前記位置情報を用いて前記第２のセルへの接近を検知させる。
【発明の効果】
【００１０】
上述の態様によれば、移動端末は、セルを効率的に発見できる。
【図面の簡単な説明】
【００１１】
【図１】基地局と移動端末の間の通信の例を説明する図である。
【図２】移動端末と基地局の構成の例を示す図である。
【図３】基地局のハードウェア構成の例を示す図である。
【図４】移動端末のハードウェア構成の例を示す図である。
【図５】サーバのハードウェア構成の例を示す図である。
【図６】マクロセルとスモールセルの配置の例を示す図である。
【図７】マクロセル情報テーブルとスモールセル情報テーブルの例を示す図である。
【図８】更新部の処理の例を説明するフローチャートである。
【図９】マクロセル管理テーブルの更新方法の例を説明するフローチャートである。
【図１０】マクロセル管理テーブルの例を示す図である。
【図１１】スモールセル管理テーブルの更新方法の例を説明するフローチャートである。
【図１２】スモールセル管理テーブルの例を示す図である。
【図１３】移動端末の移動先となり得るセルの特定方法の例を説明するシーケンス図である。
【図１４】移動先セル情報の例を示す図である。
【図１５】基地局に移動先セル情報を通知する処理の例を説明するシーケンス図である。
【図１６】位置情報テーブルの例を示す図である。
【図１７】基地局が移動端末に位置情報を通知する際に行う処理の例を説明するシーケンス図である。
【図１８】ハンドオーバの例を説明するシーケンス図である。
【図１９】位置情報テーブルの例を示す図である。
【図２０】位置情報テーブルの更新処理の例を説明するフローチャートである。
【図２１】位置情報テーブルを用いたハンドオーバの例を示すシーケンス図である。
【図２２】第１の実施形態の通信例を示す図である。
【図２３】マクロセルのセクタとスモールセルの配置の例を示す図である。
【図２４】マクロセル管理テーブルの例を示す図である。
【図２５】第２の実施形態での検索部の処理の例を説明するフローチャートである。
【図２６】スモールセル管理テーブルの例を示す図である。
【図２７】第２の実施形態での検索部の処理の例を説明するフローチャートである。
【図２８】情報送信リストの例を示す図である。
【図２９】第３の実施形態での位置情報の通知方法の例を説明するシーケンス図である。
【発明を実施するための形態】
【００１２】
図１は、基地局と移動端末の間の通信の例を説明する図である。図１の例では、基地局１０ｘはセルＸを形成しているものとする。ここで、セルＸは、マクロセルであってもスモールセルであっても良い。図１の例では、セルＸはマクロセルである。以下、マクロセルよりも小さいセルのことを「スモールセル」と記載する。例えば、スモールセルは、マイクロセル、ピコセル、フェムトセルなどとすることができる。基地局１０ａはスモールセルＡの基地局であり、基地局１０ｂはスモールセルＢの基地局、基地局１０ｃはスモールセルＣの基地局であるものとする。図１の例では、スモールセルＡおよびスモールセルＢはセルＸに包含されており、スモールセルＣはセルＸに接しているものとする。また、スモールセルＡ〜Ｃで通信に使用される周波数帯域は、セルＸとは異なる周波数帯域に設定されている。
【００１３】
さらに、図１の例では、移動端末５は、セルＸとは通信したことがあるが、スモールセルＡ〜Ｃのいずれにもアクセスしたことがなく、スモールセルＡ〜Ｃのいずれの位置情報も保持していないものとする。
【００１４】
基地局１０ｘは、基地局１０ｘと通信している移動端末のハンドオーバ先となり得るセルの位置情報を記憶している。ここで、基地局１０ｘと通信している移動端末の移動先となり得るセルは、セルＸと少なくとも１点を共有している任意の大きさのセルである。基地局１０ｘと通信している移動端末の移動先となり得るセルには、セルＸ中に包含されているセル、セルＸの一部を含む領域に形成されているセル、および、セルＸに接しているセルが含まれる。図１の例では、基地局１０ｘと通信している移動端末の移動先となり得るセルは、スモールセルＡ、スモールセルＢ、および、スモールセルＣである。基地局１０ａ〜１０ｃも、基地局１０ｘと同様に、自装置と通信している移動端末の移動先となり得るセルの位置情報を保持しているものとする。
【００１５】
移動端末５は、セルＸの中に位置しており、基地局１０ｘと通信しているものとする。基地局１０ｘは、スモールセルＡ、スモールセルＢ、および、スモールセルＣの位置情報を、移動端末５に送信する。移動端末５は、セルＸから取得した位置情報と、移動端末５の位置を比較することにより、移動先となり得るセルへの接近を検知する。例えば、移動端末５は、スモールセルＢを移動先の候補として検知したとする。すると、移動端末５は、スモールセルの物理セルＩＤの取得に使用する情報を基地局１０ｘから取得した上で、スモールセルＢの物理セルＩＤを特定する。移動端末５は、スモールセルＢの物理セルＩＤを基地局１０ｘに通知し、セルＸからスモールセルＢに移動する。
【００１６】
移動端末５と通信を開始すると、基地局１０ｂは、移動端末５の移動先となり得るセルの位置情報を、移動端末５に通知する。例えば、基地局１０ｂは、スモールセルＡとスモールセルＣの位置情報を移動端末に通知することができる。移動端末５は、基地局１０ｂから取得した情報を用いて、スモールセルＡやスモールセルＣに接近したことを検知できる。移動端末５は、接近を検知したスモールセルに割り当てられている物理セルＩＤを用いて、適宜、ハンドオーバ処理を基地局１０ｂに要求できる。
【００１７】
このように、移動端末は、通信中の基地局から移動先となり得るセルの位置情報を取得することができる。このため、移動端末は、移動端末自身の位置情報と、基地局から取得した位置情報を比較することにより、在圏したことの無いスモールセルであっても、効率的に発見することができる。
【００１８】
なお、スモールセルの基地局は、そのスモールセルと１点以上を共有しているマクロセルからの移動先となり得る基地局の情報を保持していても良い。例えば、図１のスモールセルＡはセルＸに含まれている。そこで、スモールセルＡを形成している基地局１０ａは、セルＸを用いて通信している移動端末が移動先とすることができるスモールセルＢ、Ｃの位置情報を記憶することができる。この場合においても、基地局１０ａと通信している移動端末５は、基地局１０ａからスモールセルＢ、Ｃの位置情報を取得できるので、在圏したことの無いスモールセルでも効率的に発見することができる。
【００１９】
さらに、基地局１０ａ〜１０ｃ、１０ｘは、それぞれ、スモールセルの位置情報を予め記憶していても良く、また、適宜、ネットワークを介して通信可能なサーバなどからスモールセルの位置情報を取得しても良い。以下の例では、基地局１０がサーバからスモールセルの位置情報を取得する場合を例として説明する。
【００２０】
＜装置構成＞
図２は、移動端末５と基地局１０（１０ａ〜１０ｃ）の構成の例を示す。図２に示す例では、基地局１０ａ〜１０ｃは、ネットワーク１を介してサーバ３０にアクセスすることができる。
【００２１】
基地局１０は、信号処理部１１、無線処理部１２、更新部１５、ハンドオーバ処理部１６、調整部１７、記憶部２０を備える。無線処理部１２は、受信部１３と送信部１４を有する。記憶部２０は、位置情報テーブル２１を保持する。なお、マクロセルを形成する基地局１０の構成と、スモールセルを形成する基地局１０の構成は同様である。
【００２２】
信号処理部１１は、ネットワーク１を介した通信で使用される信号を処理する。受信部１３は、移動端末５から送信された情報を受信する。送信部１４は、移動端末５に位置情報などの情報を送信する。位置情報テーブル２１は、基地局１０と通信している移動端末５の移動先となり得るスモールセルの位置情報を含む。更新部１５は、スモールセルの位置情報が更新されると、位置情報テーブル２１を更新する。ここで、更新部１５は、スモールセルの位置情報等を、信号処理部１１を介して、サーバ３０から取得する。ハンドオーバ処理部１６は、通信中の移動端末５が他の基地局１０との通信を開始するための処理や、他の基地局１０と通信中の移動端末５との通信を開始するための処理を行う。調整部１７は、移動端末５の移動先となり得るスモールセルの情報を、移動端末５に通知するためのメッセージを生成する。調整部１７は、生成したメッセージを送信部１４に出力する。さらに、調整部１７は、位置情報を含むメッセージを送信するタイミングを調整することができる。調整部１７の動作については、後述する。基地局１０は、さらに計算部１８を備えても良い。計算部１８は、移動端末５の移動速度を計算し、移動端末５の識別子に対応付けて計算結果を調整部１７に出力できる。
【００２３】
移動端末５は、受信部５１、送信部５２、更新部６１、特定部６２、検出部６３、ハンドオーバ処理部６４、記憶部７０を備える。受信部５１は、基地局１０から位置情報などの情報を受信する。送信部５２は、基地局１０に情報を送信する。更新部６１は、基地局１０から受信した位置情報を用いて、位置情報テーブル７１を更新する。特定部６２は、移動端末５の位置を特定する。例えば、特定部６２は、ＧＰＳ（Global Positioning System）などを用いて、移動端末５の位置を特定できる。
【００２４】
検出部６３は、特定部６２で得られた情報と、位置情報テーブル７１中の位置情報を比較することにより、移動先とすることができるスモールセルに接近したことを検出する。検出部６３は、予め、閾値Ｔｈｄを記憶している。例えば、検出部６３は、移動端末５の位置からスモールセルの基地局１０までの距離が、閾値Ｔｈｄ以下である場合、スモールセルに接近したと判定できる。また、例えば、位置情報テーブル７１にセル半径が含まれている場合、検出部６３は、移動端末５の位置からスモールセルの境界までの距離が閾値Ｔｈｄ以下となったときに、スモールセルに接近したと判定しても良い。検出部６３は、スモールセルへの接近をハンドオーバ元の基地局１０に通知するためのメッセージ（通知情報）を生成し、送信部５２を介して送信する。ハンドオーバ処理部６４は、ハンドオーバに関する処理を行う。記憶部７０は、位置情報テーブル７１を保持する。
【００２５】
サーバ３０は、受信部３１、更新部３２、検索部３３、選択部３４、送信部３５、記憶部４０を備える。記憶部４０は、マクロセル情報テーブル４１、スモールセル情報テーブル４２、マクロセル管理テーブル４３、スモールセル管理テーブル４４を保持する。受信部３１は、マクロセルの情報やスモールセルの情報を受信する。ここで、受信部３１は、各基地局１０から、その基地局１０の位置情報や通信に使用している周波数帯域の情報を取得しても良い。また、受信部３１は、予め基地局１０の設置位置等の情報を保持している装置から、ネットワーク１を介して、各基地局１０の情報を取得しても良いものとする。
【００２６】
更新部３２は、受信部３１を介して取得した情報を用いて、マクロセル情報テーブル４１とスモールセル情報テーブル４２を更新する。マクロセル情報テーブル４１は、マクロセルを形成している基地局の位置や、マクロセルで通信に使用されている周波数帯域などの情報を保持する。スモールセル情報テーブル４２は、スモールセルを形成している基地局の位置や、スモールセルで通信に使用されている周波数帯域などの情報を保持する。マクロセル情報テーブル４１とスモールセル情報テーブル４２の例については後述する。
【００２７】
検索部３３は、更新後のマクロセル情報テーブル４１とスモールセル情報テーブル４２を用いて、マクロセル管理テーブル４３とスモールセル管理テーブル４４を更新する。検索部３３は、マクロセルの位置、マクロセルのセル半径、スモールセルの位置、スモールセルのセル半径などの情報を用いて、各マクロセルについて、移動端末５の移動先となり得るスモールセルを検索する。検索部３３は、得られた結果をマクロセルの物理セルＩＤに対応付けて、マクロセル管理テーブル４３に記録する。同様に、検索部３３は、各スモールセルについても、そのスモールセルを用いて通信している移動端末５が移動先とする可能性があるスモールセルを検索する。さらに、検索部３３は、スモールセルごとの検索結果を、スモールセルの物理セルＩＤに対応付けてスモールセル管理テーブル４４に記録する。マクロセル管理テーブル４３とスモールセル管理テーブル４４の例と、検索部３３の処理の具体例についても後述する。
【００２８】
選択部３４は、位置情報を基地局１０に通知するための移動先セル情報を生成する。「移動先セル情報」は、移動先セル情報の宛先の基地局１０と通信中の移動端末５にとって、移動先となり得るセルの位置情報を含むものとする。選択部３４は、送信先の基地局１０に合わせて、送信する情報を選択する。選択部３４は、例えば、情報の送信先がマクロセルの基地局１０である場合、送信先の基地局１０が形成しているマクロセルの識別子に対応付けられたスモールセルを、マクロセル管理テーブル４３を用いて選択する。一方、選択部３４は、スモールセルの基地局１０が送信先である場合、スモールセル管理テーブル４４を用いて、送信先の基地局１０の識別子に対応付けられたスモールセルを選択する。さらに、選択部３４は、選択したスモールセルの情報をスモールセル情報テーブル４２から取得し、基地局１０に送信する移動先セル情報を生成する。選択部３４は、移動先セル情報を、送信先の基地局１０を識別する情報とともに送信部３５に出力する。送信部３５は、基地局１０に移動先セル情報を送信する。
【００２９】
図３は、基地局１０のハードウェア構成の例を示す。基地局１０は、アンテナ１０１、アンプ１０２、ベースバンド処理回路１０３、プロセッサ１０４、メモリ１０５、伝送路インタフェース１０６を備える。基地局１０は、アンテナ１０１を介して移動端末５と通信する。また、アンテナ１０１とアンプ１０２は、無線処理部１２として動作する。ベースバンド処理回路１０３は、ベースバンド信号を処理する。プロセッサ１０４は、Central Processing Unit（ＣＰＵ）を含む任意の処理回路とすることができる。プロセッサ１０４は、メモリ１０５に記憶されているプログラムを実行することにより、更新部１５、ハンドオーバ処理部１６、調整部１７、計算部１８として動作する。メモリ１０５は、記憶部２０として動作し、適宜、基地局１０の処理に使用されるデータやプログラム等を記憶する。伝送路インタフェース１０６は、信号処理部１１を実現する。基地局１０は、伝送路インタフェース１０６を介してネットワーク１との通信や局間回線を介した通信を行う。
【００３０】
図４は、移動端末５のハードウェア構成の例を示す。移動端末５は、アンテナ１１１、アンプ１１２、ベースバンド処理回路１１３、プロセッサ１１４、メモリ１１５を備える。移動端末５は、アンテナ１１１を介して基地局１０と通信する。また、アンテナ１１１とアンプ１１２は、受信部５１および送信部５２として動作する。ベースバンド処理回路１１３は、ベースバンド信号を処理する。プロセッサ１１４は、ＣＰＵを含む任意の処理回路である。プロセッサ１１４は、メモリ１１５に記憶されているプログラムを実行することにより、更新部６１、特定部６２、検出部６３、および、ハンドオーバ処理部６４として動作する。メモリ１１５は、記憶部７０として動作し、適宜、移動端末５の処理に使用されるデータやプログラム等を記憶する。
【００３１】
図５は、サーバ３０のハードウェア構成の例を示す。サーバ３０は、プロセッサ１２１、メモリ１２２、バス１２５、外部記憶装置１２６、ネットワーク接続装置１２９を備える。サーバ３０は、さらに、入力装置１２３、出力装置１２４、媒体駆動装置１２７を備えても良い。
【００３２】
プロセッサ１２１は、ＣＰＵを含む任意の処理回路である。プロセッサ１２１は、更新部３２、検索部３３、選択部３４として動作する。なお、プロセッサ１２１は、例えば、外部記憶装置１２６に記憶されたプログラムを実行することができる。メモリ１２２は、記憶部４０として動作する。さらに、メモリ１２２は、プロセッサ１２１の動作により得られたデータや、プロセッサ１２１の処理に用いられるデータも、適宜、記憶する。ネットワーク接続装置１２９は、他の装置との通信に使用され、受信部３１、送信部３５として動作する。
【００３３】
入力装置１２３は、例えば、ボタン、キーボードやマウスとして実現され、出力装置１２４は、ディスプレイなどとして実現される。バス１２５は、プロセッサ１２１、メモリ１２２、入力装置１２３、出力装置１２４、外部記憶装置１２６、媒体駆動装置１２７、ネットワーク接続装置１２９の間を相互にデータの受け渡しが行えるように接続する。外部記憶装置１２６は、プログラムやデータなどを格納し、格納している情報を、適宜、プロセッサ１２１などに提供する。媒体駆動装置１２７は、メモリ１２２や外部記憶装置１２６のデータを可搬記憶媒体１２８に出力することができ、また、可搬記憶媒体１２８からプログラムやデータ等を読み出すことができる。ここで、可搬記憶媒体１２８は、フロッピイディスク、Magneto-Optical（ＭＯ）ディスク、Compact Disc Recordable（ＣＤ−Ｒ）やDigital Versatile Disk Recordable（ＤＶＤ−Ｒ）を含む、持ち運びが可能な任意の記憶媒体とすることができる。
【００３４】
＜第１の実施形態＞
図６は、マクロセルとスモールセルの配置の例を示す。以下、マクロセルの識別子は、３文字のアルファベットの大文字が連続した文字列で表し、スモールセルの識別子は、３文字のアルファベットの小文字が連続した文字列で表す。例えば、図６のセルＡＡＡやセルＢＢＢはマクロセルであり、セルａａａ、ｂｂｂなどは、スモールセルである。また、理解しやすくするために、物理セルＩＤと各セルの識別子を同じ文字列で表す。例えば、セルＡＡＡの物理セルＩＤはＡＡＡである。図６の例では、マクロセルＡＡＡは、スモールセルａａａとスモールセルｂｂｂを包含しており、スモールセルｃｃｃと一部の領域を共有している。さらに、マクロセルＡＡＡは、スモールセルｄｄｄとスモールセルｅｅｅに接しているので、スモールセルｄｄｄおよびスモールセルｅｅｅとも少なくとも１点を共有しているといえる。一方、マクロセルＢＢＢは、スモールセルｄｄｄとスモールセルｆｆｆを包含しており、さらに、スモールセルｂｂｂと一部の領域を共有している。
【００３５】
以下、マクロセルとスモールセルが図６に示すように配置されている場合を例として、第１の実施形態に係る通信方法を説明する。以下、移動端末５の移動先となり得るセルの特定方法、基地局１０への位置情報の通知、基地局１０から移動端末５への位置情報の通知、および、移動端末５での処理に分けて説明する。
【００３６】
〔移動端末の移動先となり得るセルの特定方法〕
図７は、マクロセル情報テーブル４１とスモールセル情報テーブル４２の例を示す。図７の例では、マクロセル情報テーブル４１とスモールセル情報テーブル４２のいずれも、各セルに割り当てられた物理セルＩＤに対応付けて、そのセルを形成する基地局の設置位置、通信に使用される周波数帯域、セル半径が記録されている。図７の例では、位置情報は、緯度と経度の組み合わせであり、末尾にｘｘが付されている値が緯度（北緯）、末尾にｙｙが付されている値が経度（東経）であるものとする。以下の説明では、マクロセルＡＡＡとマクロセルＢＢＢは、同じ周波数帯域を使用しているものとする。一方、スモールセルａａａ〜ｆｆｆは、いずれも、マクロセルＡＡＡやマクロセルＢＢＢとは異なる周波数帯域を通信に使用する。さらに、スモールセル同士では、通信に使用される周波数帯域は同じであっても異なっていても良い。図７の例では、マクロセルＡＡＡとマクロセルＢＢＢはいずれも、２．２ＧＨｚの帯域で通信を行う。一方、スモールセルａａａ、ｃｃｃ、ｄｄｄ、ｅｅｅは、８００ＭＨｚの周波数帯域を使用するが、スモールセルｂｂｂとｆｆｆは、９００ＭＨｚの周波数帯域を使用する。
【００３７】
図８は、更新部３２の処理の例を説明するフローチャートである。マクロセル情報テーブル４１やスモールセル情報テーブル４２は、図８に示す手順で更新される。まず、サーバ３０の受信部３１は、基地局１０の位置などの情報を保持している装置または基地局１０から、基地局１０の位置情報やセル半径などの情報を物理セルＩＤに対応付けて取得する。受信部３１は、取得した情報を更新部３２に出力する（ステップＳ１）。更新部３２は、受信部３１から入力された情報について、マクロセルとスモールセルのいずれの情報であるかを特定する。更新部３２がセルの大きさを特定する方法は任意である。例えば、更新部３２は、マクロセルに割り当てられる物理セルＩＤを予め記憶していても良い。また、更新部３２は、例えば、セル半径や送信電力の値を用いて、入力された情報がマクロセルとスモールセルのいずれの情報であるかを特定しても良いものとする。更新部３２は、入力された情報がマクロセルの情報であると判定すると、通知された情報に対応付けられている物理セルＩＤをキーとしてマクロセル情報テーブル４１を検索する（ステップＳ２）。
【００３８】
キーとした物理セルＩＤがマクロセル情報テーブル４１に含まれていない場合、更新部３２は、マクロセル情報テーブル４１に新たなエントリを作成し、入力された情報をマクロセル情報テーブル４１に登録する（ステップＳ２でＮｏ、ステップＳ３）。一方、キーとした物理セルＩＤがマクロセル情報テーブル４１に含まれている場合、更新部３２は、マクロセル情報テーブル４１に記録されている情報と、受信部３１から入力された情報の間に差があるかを判定する（ステップＳ２でＹｅｓ、ステップＳ４）。両者に差があると判定した場合、更新部３２は、マクロセル情報テーブル４１を、受信部３１から通知された情報を用いて更新する（ステップＳ４でＹｅｓ、ステップＳ５）。一方、キーとした物理セルＩＤに対応付けられた情報について、マクロセル情報テーブル４１中の情報と受信部３１から入力された情報の間で差がない場合、更新部３２は処理を終了する（ステップＳ４でＮｏ、ステップＳ６）。図８を参照しながら説明した処理を行うことにより、図６に示すようにマクロセルが配置されている場合、図７に示すマクロセル情報テーブル４１が得られる。
【００３９】
更新部３２は、受信部３１から入力された情報のうちで、スモールセルの情報であると判定した情報についても、図８を用いて説明した処理と同様の処理を行う。図８を参照しながら説明した処理を行うことにより、図６に示すようにスモールセルが配置されている場合、図７に示すスモールセル情報テーブル４２が得られる。なお、マクロセルやスモールセルが新たに設置された場合や、設置位置が変更された場合、図８に示す処理により、マクロセル情報テーブル４１および／またはスモールセル情報テーブル４２が、セルの設置状況の変化に応じて更新される。
【００４０】
図９は、マクロセル管理テーブル４３の更新方法の例を説明するフローチャートである。図１０は、マクロセル管理テーブル４３の例である。マクロセル情報テーブル４１とスモールセル情報テーブル４２が更新されると、検索部３３は、マクロセルごとに、移動端末５の移動先となり得るスモールセルを検索し、得られた結果をマクロセル管理テーブル４３に記録する。以下、図９を参照しながら、図１０に示すマクロセル管理テーブル４３を生成するときの検索部３３の処理の例を説明する。以下の例では、移動端末５の移動先となり得るスモールセルのことを、「割り当てスモールセル」と記載することがある。割り当てスモールセルは、各基地局１０に、通信中の移動端末５に位置情報を通知する対象として割り当てられているスモールセルであるともいえる。なお、図９の例では、ステップＳ１１とステップＳ１２は、実装に応じて互いに順序を変更することができる。
【００４１】
検索部３３は、マクロセル情報テーブル４１に含まれているエントリの数（Ｍ）と、スモールセル情報テーブル４２に含まれているエントリの数（Ｎ）を取得する（ステップＳ１１）。なお、定数Ｍはマクロセルの総数であり、定数Ｎはスモールセルの総数である。次に、検索部３３は、変数ｍと変数ｎを１に設定する（ステップＳ１２、Ｓ１３）。なお、ｍは、マクロセル情報テーブル４１のエントリを識別する変数であり、ｎは、スモールセル情報テーブル４２のエントリを識別する変数である。
【００４２】
検索部３３は、マクロセル情報テーブル４１からｍ番目のエントリに記録されているマクロセルの情報を取得し、マクロセル管理テーブル４３に記録する（ステップＳ１４）。ここで、各エントリには、物理セルＩＤ、位置情報、周波数帯域、セル半径が記録されているものとする。また、ｍ番目のマクロセルのセル半径をＲとする。例えば、検索部３３は、図７に示すマクロセル情報テーブル４１の１番目のエントリから、セルＡＡＡについて、以下の情報を取得する。
物理セルＩＤ：ＡＡＡ
位置情報    ：北緯３５．７３０５４１度、東経１３９．７１２９４度
周波数帯域  ：２．２ＧＨｚ
セル半径    ：５００ｍ
検索部３３は、取得した情報を用いて、図１０に示すマクロセル管理テーブル４３ａを生成する。
【００４３】
次に、検索部３３は、スモールセル情報テーブル４２から、ｎ番目のエントリに記録されているスモールセルの位置情報とセル半径を取得する（ステップＳ１５）。以下、ｎ番目のスモールセルのセル半径をｒとする。例えば、検索部３３は、セルａａａについて、位置が北緯３５．７３０５４２度、東経１３９．７１２９５度であり、セル半径ｒ＝１０ｍであるという情報を取得する。検索部３３は、ｍ番目のマクロセルの位置情報とｎ番目のスモールセルの位置情報を用いて、ｍ番目のマクロセルとｎ番目のスモールセルの間の距離（Ｄ）を計算する（ステップＳ１６）。検索部３３による距離の計算は、２点の緯度と経度の情報を用いた任意の計算方法とすることができる。なお、図９の例で計算される距離Ｄは、ｍ番目のマクロセルの基地局とｎ番目のスモールセルの基地局の間の距離である。
【００４４】
検索部３３は、距離Ｄを、ｍ番目のマクロセルのセル半径とｎ番目のスモールセルのセル半径の合計値と比較する（ステップＳ１７）。距離Ｄが合計値以下である場合、ｍ番目のマクロセルとｎ番目のスモールセルは少なくとも１点を共有していることになる。例えば、距離Ｄと合計値が等しい場合、ｍ番目のマクロセルとｎ番目のスモールセルは、互いに接している。また、距離Ｄが合計値より小さい場合、ｍ番目のマクロセルとｎ番目のスモールセルが重なる領域がある。そこで、距離Ｄが合計値以下である場合、検索部３３は、ｎ番目のスモールセルがｍ番目のマクロセルからの移動先となり得ると判定して、マクロセル管理テーブル４３に記録する（ステップＳ１７でＹｅｓ、ステップＳ１８）。例えば、図６に示すように、マクロセルＡＡＡとスモールセルａａａの間の距離は、マクロセルＡＡＡのセル半径とスモールセルａａａのセル半径の合計よりも小さい。すると、検索部３３は、スモールセルａａａをマクロセルＡＡＡの割り当てスモールセルとして、マクロセル管理テーブル４３ａをマクロセル管理テーブル４３ｂ（図１０）に更新する。一方、距離Ｄが合計値より大きい場合、検索部３３は、ｎ番目のスモールセルはｍ番目のマクロセルからの移動先となり得ないと判定し、マクロセル管理テーブル４３に記録しない（ステップＳ１７でＮｏ、ステップＳ１９）。
【００４５】
ステップＳ１８かステップＳ１９の処理が終わると、検索部３３は、変数ｎを１つインクリメントした後で、変数ｎをスモールセルの総数Ｎと比較する（ステップＳ２０、Ｓ２１）。変数ｎがスモールセルの総数Ｎ以下である場合、ステップＳ１５以降の処理が繰り返される（ステップＳ２１でＮｏ）。すなわち、変数ｍにより特定されるマクロセルに対して、各スモールセルがそれぞれ移動先のセルとなり得るかが判定される。
【００４６】
変数ｎがスモールセルの総数Ｎを超えると、検索部３３は、変数ｍを１つインクリメントした後で、変数ｍをマクロセルの総数Ｍと比較する（ステップＳ２２、Ｓ２３）。変数ｍがマクロセルの総数Ｍ以下である場合、ステップＳ１３以降の処理が繰り返される（ステップＳ２３でＮｏ）。このため、全てのマクロセルについてマクロセル管理テーブル４３のデータが更新される。変数ｍがマクロセルの総数Ｍを超えると、検索部３３は処理を終了する（ステップＳ２３でＹｅｓ）。このため、図６に示すようにセルが配置されている場合、図９を参照しながら説明した処理により、マクロセル管理テーブル４３ｃ（図１０）が得られる。
【００４７】
図１１は、スモールセル管理テーブル４４の更新方法の例を説明するフローチャートである。図１２は、スモールセル管理テーブル４４の例である。マクロセル管理テーブル４３の更新が終わると、検索部３３は、スモールセルごとに、移動端末５の移動先となり得るスモールセルを検索し、得られた結果をスモールセル管理テーブル４４に記録する。以下、図１１を参照しながら、図１２に示すスモールセル管理テーブル４４を生成するときの検索部３３の処理の例を説明する。なお、図１１の例では、ステップＳ３１とステップＳ３２は、実装に応じて互いに順序を変更することができる。
【００４８】
検索部３３は、マクロセル管理テーブル４３に含まれているマクロセルのエントリの数（Ｍ）と、スモールセル情報テーブル４２に含まれているエントリの数（Ｎ）を取得する（ステップＳ３１）。なお、定数Ｍはマクロセルの総数であり、定数Ｎはスモールセルの総数である。次に、検索部３３は、変数ｐと変数ｑを１に設定する（ステップＳ３２、Ｓ３３）。なお、ｐは、スモールセルを識別する変数であり、ｑは、マクロセルを識別する変数である。検索部３３は、スモールセル情報テーブル４２からｐ番目のエントリに記録されているスモールセルの情報を取得し、スモールセル管理テーブル４４に記録する（ステップＳ３４）。例えば、検索部３３は、スモールセルの物理セルＩＤ、位置情報、周波数帯、セル半径を、スモールセル管理テーブル４４に記録する。
【００４９】
検索部３３は、マクロセル管理テーブル４３中のｑ番目のマクロセルのエントリを参照し、割り当てスモールセルにｐ番目のスモールセルが含まれているかを判定する（ステップＳ３５）。ｐ番目のスモールセルが含まれている場合、ｑ番目のマクロセルの割り当てスモールセルのうちで、ｐ番目のスモールセル以外のスモールセルの情報を、ｐ番目のスモールセルの割り当てスモールセルとする（ステップＳ３５でＹｅｓ、ステップＳ３６）。例えば、スモールセルａａａの割り当てスモールセルを検索する場合、検索部３３は、マクロセル管理テーブル４３ｃ（図１０）を用いて、マクロセルＡＡＡの割り当てスモールセルを特定する。ここで、マクロセルＡＡＡの割り当てスモールセルは、セルａａａ、セルｂｂｂ、セルｃｃｃ、セルｄｄｄ、および、セルｅｅｅである。検索部３３は、マクロセルＡＡＡの割り当てスモールセルにスモールセルａａａが含まれているので、マクロセルＡＡＡの割り当てスモールセルのうち、スモールセルａａａ以外のセルを、スモールセルａａａの割り当てスモールセルとする。従って、検索部３３は、スモールセル管理テーブル４４ａ（図１２）に示すように、セルａａａの割り当てスモールセルは、セルｂｂｂ、セルｃｃｃ、セルｄｄｄ、および、セルｅｅｅであることを記録する。
【００５０】
ステップＳ３６の処理が終わると、検索部３３は、変数ｑを１つインクリメントした後で、変数ｑをマクロセルの総数Ｍと比較する（ステップＳ３７、Ｓ３８）。変数ｑがマクロセルの総数Ｍ以下である場合、ステップＳ３５以降の処理が繰り返される（ステップＳ３８でＮｏ）。このため、１つのスモールセルについて割り当てスモールセルを特定するときには、全てのマクロセルの割り当てスモールセルの情報が使用される。従って、あるスモールセルが複数のマクロセルの割り当てスモールセルとなっている場合、そのスモールセルの割り当てスモールセルは、複数のマクロセルの情報を用いて特定される。例えば、スモールセルｂｂｂは、マクロセルＡＡＡの割り当てスモールセルであり、かつ、マクロセルＢＢＢの割り当てスモールセルでもある。そこで、マクロセルＡＡＡの割り当てスモールセルのうち、セルａａａ、セルｃｃｃ、セルｄｄｄ、および、セルｅｅｅが、セルｂｂｂの割り当てスモールセルとなる。さらに、マクロセルＢＢＢの割り当てスモールセルが、セルｂｂｂ、セルｄｄｄ、および、セルｆｆｆであることから、セルｆｆｆもセルｂｂｂの割り当てスモールセルとなる。
【００５１】
変数ｑがマクロセルの総数Ｍを超えると、検索部３３は、変数ｐを１つインクリメントした後で、変数ｐをスモールセルの総数Ｎと比較する（ステップＳ３９、Ｓ４０）。変数ｐがスモールセルの総数Ｎ以下である場合、ステップＳ３３以降の処理が繰り返される（ステップＳ４０でＮｏ）。このため、全てのスモールセルについてスモールセル管理テーブル４４のデータが更新される。変数ｐがスモールセルの総数Ｎを超えると、検索部３３は処理を終了する（ステップＳ４０でＹｅｓ）。このため、図６に示すようにセルが配置されている場合、図１１を参照しながら説明した処理により、図１２に示すスモールセル管理テーブル４４ｂが得られる。
【００５２】
図１３は、移動端末の移動先となり得るセルの特定方法の例を説明するシーケンス図である。この処理は、例えば、サーバ３０により実行される。なお、図１３に示す矢印は、情報の流れの例を示す。図１３は一例であり、実装に応じて動作の順序は変更されうる。例えば、手順（１）、（２）の前に手順（３）、（４）が行われても良い。
【００５３】
（１）受信部３１は基地局１０の情報を受信すると、受信した情報を更新部３２に出力する。
【００５４】
（２）更新部３２は、受信部３１から入力された情報がマクロセルとスモールセルのいずれの基地局１０の情報であるかを判定する。ここでは、マクロセルの基地局の情報が入力されたとする。すると、更新部３２は、マクロセル情報テーブル４１を更新する。
【００５５】
（３）手順（１）と同様に、更新部３２に情報が出力される。
【００５６】
（４）更新部３２は、手順（２）と同様の判定を行う。ここでは、スモールセルの基地局の情報が入力されたとする。すると、更新部３２は、スモールセル情報テーブル４２を更新する。
【００５７】
（５）記憶部４０は、更新後のマクロセル情報テーブル４１とスモールセル情報テーブル４２を保持する。
【００５８】
（６）検索部３３は、記憶部４０にアクセスして、マクロセル情報テーブル４１とスモールセル情報テーブル４２の情報を取得する。
【００５９】
（７）検索部３３は、マクロセル情報テーブル４１とスモールセル情報テーブル４２を用いて、各セルからの移動先となり得るスモールセルを特定する。
【００６０】
（８）検索部３３は、マクロセル管理テーブル４３とスモールセル管理テーブル４４を更新する。このとき、検索部３３は、各セルからの移動先となり得るスモールセルを、マクロセル管理テーブル４３またはスモールセル管理テーブル４４に、割り当てスモールセルとして記録する。
【００６１】
〔基地局１０への位置情報の通知〕
マクロセル管理テーブル４３とスモールセル管理テーブル４４の更新処理が終わると、サーバ３０は、移動先セル情報を基地局１０に通知する。ここで、「移動先セル情報」は、移動先セル情報の宛先の基地局１０と通信中の移動端末５にとって、移動先となり得るセルの位置情報を含む。移動先セル情報には、宛先となる基地局１０の割り当てスモールセルの物理セルＩＤに、各セルの位置情報を含む任意の情報が対応付けられているものとする。以下の説明では、移動先セル情報の宛先の区別を容易にするために、動作を行っている基地局１０が形成している物理セルＩＤの１文字目のアルファベットを、符号の最後に記載することがある。例えば、基地局１０ＡはマクロセルＡＡＡを形成しており、基地局１０ｂはスモールセルｂｂｂを形成している。また、位置情報テーブル２１Ａは、基地局１０Ａに保持されている位置情報テーブル２１である。
【００６２】
まず、マクロセルの基地局１０に送信するための移動先セル情報の生成方法について述べる。選択部３４は、マクロセル管理テーブル４３から、移動先セル情報の送信先の基地局１０についての割り当てスモールセルを特定する。さらに、選択部３４は、特定した割り当てスモールセルについての位置情報などをスモールセル管理テーブル４４から選択する。なお、選択部３４は、割り当てスモールセルについての位置情報を、スモールセル情報テーブル４２から取得しても良い。
【００６３】
例えば、マクロセルＡＡＡの基地局１０Ａに送信する移動先セル情報を生成する場合、選択部３４は、マクロセル管理テーブル４３ｃ（図１０）から、セルＡＡＡに対応付けられている割り当てスモールセルを特定する。セルＡＡＡに対応付けられている割り当てスモールセルは、セルａａａ、セルｂｂｂ、セルｃｃｃ、セルｄｄｄ、セルｅｅｅである。選択部３４は、特定したセルの各々について、位置情報などをスモールセル管理テーブル４４から取得することにより、移動先セル情報を生成する。図１４に、マクロセルＡＡＡの基地局１０Ａに送信される移動先セル情報の例を示す。マクロセルＢＢＢの基地局１０Ｂについても、同様の処理により、移動先セル情報が生成される。
【００６４】
次に、スモールセルの基地局１０に送信するための移動先セル情報の生成方法について述べる。選択部３４は、スモールセル管理テーブル４４から、移動先セル情報の送信先の基地局１０についての割り当てスモールセルを特定する。さらに、選択部３４は、特定した割り当てスモールセルについての位置情報などについても、スモールセル管理テーブル４４中のエントリから選択する。なお、スモールセルの基地局１０宛ての移動先セル情報の生成のときも、選択部３４は、割り当てスモールセルについての位置情報を、スモールセル情報テーブル４２から取得しても良い。
【００６５】
例えば、マクロセルｄｄｄの基地局１０ｄに送信する移動先セル情報を生成する場合、選択部３４は、スモールセル管理テーブル４４ｂ（図１２）から、セルｄｄｄに対応付けられている割り当てスモールセルを特定する。セルｄｄｄに対応付けられている割り当てスモールセルは、セルａａａ、セルｂｂｂ、セルｃｃｃ、セルｅｅｅ、セルｆｆｆである。選択部３４は、特定したセルの各々について、位置情報などをスモールセル管理テーブル４４から取得することにより、移動先セル情報を生成する。選択部３４は、他のスモールセルの基地局１０についても、同様の処理により、移動先セル情報を生成する。
【００６６】
図１５は、基地局１０に移動先セル情報を通知する処理の例を説明するシーケンス図である。図１５では、サーバ３０が、マクロセルＡＡＡを形成している基地局１０Ａに移動先セル情報を通知する場合の通信処理の例を説明するが、サーバ３０と他のマクロセルの基地局１０との間での通信も同様である。
【００６７】
（１１）選択部３４は、記憶部４０からマクロセル管理テーブル４３とスモールセル管理テーブル４４の情報を取得する。
【００６８】
（１２）選択部３４は、送信先の基地局１０Ａで形成されているセルの物理セルＩＤをキーとして、マクロセル管理テーブル４３を検索する。ここで、基地局１０Ａで形成されているセルの物理セルＩＤはＡＡＡである。選択部３４は、基地局１０Ａ宛の移動先セル情報を生成する。移動先セル情報の生成方法は、図１４を参照しながら説明した通りである。
【００６９】
（１３）選択部３４は、生成した移動先セル情報を、基地局１０Ａを宛先に指定して、送信部３５に出力する。
【００７０】
（１４）送信部３５は、選択部３４から入力された移動先セル情報を基地局１０Ａに送信する。
【００７１】
（１５）基地局１０Ａの信号処理部１１Ａは、サーバ３０からの信号を受信する。信号処理部１１Ａは、受信した信号から移動先セル情報を取得し、更新部１５Ａに出力する。
【００７２】
（１６）更新部１５Ａは、移動先セル情報と位置情報テーブル２１Ａを比較する。位置情報テーブル２１Ａと移動先セル情報に差がある場合、更新部１５Ａは、移動先セル情報に合わせて位置情報テーブル２１Ａを更新する。このとき、更新部１５Ａは、位置情報テーブル２１Ａと移動先セル情報の間で差分がある基地局についての情報だけを更新しても良い。また、すでに保持している位置情報テーブル２１Ａの情報を消去して、移動先セル情報に含まれている情報を、位置情報テーブル２１Ａとしても良い。図１４に示す移動先セル情報が基地局１０Ａに送信された場合の位置情報テーブル２１Ａの例を、図１６に示す。
【００７３】
（１７）更新部１５Ａは、更新後の位置情報テーブル２１Ａを記憶部２０Ａに出力する。記憶部２０Ａは、更新後の位置情報テーブル２１Ａを保持する。
【００７４】
マクロセルＢＢＢを形成している基地局１０Ｂに対しても、サーバ３０は、同様の方法で移動先セル情報を生成し、通知する。このため、サーバ３０がマクロセル管理テーブル４３ｃ（図１０）とスモールセル管理テーブル４４ｂ（図１２）を保持している場合、基地局１０Ｂは、図１６に示す位置情報テーブル２１Ｂを保持する。
【００７５】
図１５を用いてマクロセルの基地局１０に移動先セル情報を通知するときの動作を説明したが、スモールセルの基地局１０に移動先セル情報を通知するときに行われる処理も同様である。ただし、スモールセルの基地局１０に送信する移動先セル情報の生成の際には、マクロセル管理テーブル４３は使用されないので、手順（１１）において、選択部３４はマクロセル管理テーブル４３にアクセスしない。このため、サーバ３０がスモールセル管理テーブル４４ｂ（図１２）を保持している場合、移動先セル情報の通知により、基地局１０ａは、図１６の位置情報テーブル２１ａを保持する。同様に、基地局１０ｂは、図１６の位置情報テーブル２１ｂを保持する。
【００７６】
〔移動端末５への位置情報の通知〕
図１７は、基地局１０が移動端末５に位置情報を通知する際に行う処理の例を説明するシーケンス図である。
【００７７】
（２１）基地局１０のハンドオーバ処理部１６は、基地局１０が形成しているセルに移動端末５が近づいてくると、移動端末５のハンドオーバのための処理をする。以下の説明では、基地局１０のセルに移動端末５が侵入してくることを「ハンドイン」と記載する。ハンドオーバ処理部１６は、移動端末５との間で通信を開始すると、ハンドインを検知する。基地局１０は、移動端末５とハンドオーバ先の基地局１０の間の同期処理以後に行われる任意のメッセージの送受信をハンドインの検知のために使用することができる。ハンドインの検知方法の具体例は後述する。
【００７８】
（２２）ハンドオーバ処理部１６は、ハンドインを検知すると、ハンドインの発生を調整部１７に通知する。
【００７９】
（２３）調整部１７は、ハンドインが通知されると、記憶部２０中の位置情報テーブル２１にアクセスすることにより、位置情報を取得する。調整部１７は、取得した位置情報を用いて、移動端末５宛に送信するメッセージを生成する。このとき、調整部１７は、位置情報テーブル２１に含まれている全てのスモールセルについて、物理セルＩＤと位置情報を対応付けたリストを、位置情報として使用することができる。さらに、調整部１７は、各スモールセルのセル半径や周波数の情報も、位置情報とともに、移動端末５宛てのメッセージに含めることができる。
【００８０】
（２４）調整部１７は、生成したメッセージを送信部１４に出力する。
【００８１】
（２５）送信部１４は、調整部１７から入力されたメッセージを移動端末５に送信する。移動端末５は、基地局１０から受信したメッセージを用いて位置情報テーブル７１を更新する。移動端末５での処理については、後述する。
【００８２】
図１８は、ハンドオーバの例を説明するシーケンス図である。図１８を参照しながらハンドインの検知方法の例を説明する。図１８は、移動端末５が基地局１０Ｂから基地局１０Ａにハンドオーバする場合に行われる処理の例を示す。図１８に示す例では、ハンドオーバ先の基地局１０Ａは、移動端末５から、基地局１０Ａが形成しているマクロセルＡＡＡを用いた通信の開始を要求する要求メッセージを受信すると、マクロセルＡＡＡへのハンドインを検知する。
【００８３】
移動端末５は、通信中の基地局１０ＢからＭｅａｓｕｒｅｍｅｎｔ  Ｃｏｎｔｒｏｌを受信すると、周辺の基地局からの受信強度などの測定を行う（手順（３１））。移動端末５は、得られた結果をＭｅａｓｕｒｅｍｅｎｔ  Ｒｅｐｏｒｔを用いて基地局１０Ｂに報告する（手順（３２））。基地局１０Ｂは、Ｍｅａｓｕｒｅｍｅｎｔ  Ｒｅｐｏｒｔを用いて、移動端末５が基地局１０Ｂから基地局１０Ａにハンドオーバすると判定し、ハンドオーバ先の基地局１０ＡにＨａｎｄｏｖｅｒ  Ｒｅｑｕｅｓｔを送信する（手順（３３））。ハンドオーバ先の基地局１０Ａは、Ｈａｎｄｏｖｅｒ  Ｒｅｑｕｅｓｔの受信に伴う処理を行った後で、Ｈａｎｄｏｖｅｒ  Ｒｅｑｕｅｓｔ  ＡＣＫを基地局１０Ｂに送信する（手順（３４））。すると、基地局１０Ｂは、ＲＲＣ  Ｃｏｎｎｅｃｔｉｏｎ  Ｒｅｃｏｎｆｉｇｕｒａｔｉｏｎを移動端末５に送信することにより、移動端末５にハンドオーバを要求する（手順（３５））。さらに、基地局１０Ｂは、基地局１０ＡにＳＮ  Ｓｔａｔｕｓ  Ｔｒａｎｓｆｅｒを送ることにより、次に移動端末５に送信するパケットのシーケンス番号を通知する（手順（３６））。その後、基地局１０Ａと移動端末５の間で同期処理が行われる（手順（３７））。
【００８４】
移動端末５は、基地局１０Ａが形成するセルへのハンドインに成功すると、基地局１０ＡにＲＲＣ  Ｃｏｎｎｅｃｔｉｏｎ  Ｒｅｃｏｎｆｉｇｕｒａｔｉｏｎ  Ｃｏｍｐｌｅｔｅを送信する（手順（３８））。ここで、ＲＲＣ  Ｃｏｎｎｅｃｔｉｏｎ  Ｒｅｃｏｎｆｉｇｕｒａｔｉｏｎ  Ｃｏｍｐｌｅｔｅは、要求メッセージの例である。すなわち、手順（３７）の処理に失敗して移動端末５がマクロセルＡＡＡにハンドインできない場合、移動端末５は、ＲＲＣ  Ｃｏｎｎｅｃｔｉｏｎ  Ｒｅｃｏｎｆｉｇｕｒａｔｉｏｎ  Ｃｏｍｐｌｅｔｅを送信しない。このため、基地局１０Ａのハンドオーバ処理部１６Ａは、ＲＲＣ  Ｃｏｎｎｅｃｔｉｏｎ  Ｒｅｃｏｎｆｉｇｕｒａｔｉｏｎ  Ｃｏｍｐｌｅｔｅを受信すると、ハンドインを検知したと判定する。そこで、ハンドオーバ処理部１６Ａは、調整部１７Ａにハンドインを通知し、調整部１７Ａは、図１７を参照しながら説明した手順により、位置情報を用いて、移動端末５宛に送信するためのメッセージを生成する。このメッセージには、例えば、図１６に示す位置情報テーブル２１Ａに記録されている情報が含まれても良い。基地局１０Ａは、生成したメッセージを移動端末５に送信することにより、位置情報を通知する（手順（３９））。
【００８５】
その後、基地局１０Ａは、Ｍｏｂｉｌｉｔｙ  Ｍａｎａｇｅｍｅｎｔ  Ｅｎｔｉｔｙ（ＭＭＥ）にＰａｔｈ  Ｓｗｉｔｃｈ  Ｒｅｑｕｅｓｔを送信することによりパスの切り替えを要求する（手順（４０））。ＭＭＥは、Ｓｅｒｖｉｎｇ  Ｇａｔｅｗａｙ（ＳＧＷ）に、Ｕｓｅｒ  Ｐｌａｎｅ  Ｕｐｄａｔｅ  Ｒｅｑｕｅｓｔを送信することにより、移動端末５が基地局１０Ａと通信することを通知する（手順（４１））。ＭＭＥは、ＳＧＷからＵｓｅｒ  Ｐｌａｎｅ  Ｕｐｄａｔｅ  Ｒｅｓｐｏｎｓｅを受信すると、基地局１０ＡにＰａｔｈ  Ｓｗｉｔｃｈ  Ｒｅｑｕｅｓｔ  ＡＣＫを送信する（手順（４２）、（４３））。すると、基地局１０Ａは、基地局１０ＢにＵＥ  Ｃｏｎｔｅｘｔ  Ｒｅｌｅａｓｅを送信する（手順（４４））。
【００８６】
なお、図１８は、ハンドインの検出方法の一例であり、実装に応じて、ハンドインの検知方法は変更されても良い。手順（３８）以降の処理は、移動端末５がハンドオーバできない場合には、行われない。このため、例えば、ハンドオーバ先の基地局１０のハンドオーバ処理部１６は、手順（４０）か手順（４４）でメッセージを送信するときに、ハンドインを検知するように変形されても良い。同様に、ハンドオーバ処理部１６は、ＭＭＥからＰａｔｈ  Ｓｗｉｔｃｈ  Ｒｅｑｕｅｓｔ  ＡＣＫを受信したときに、ハンドインを検知するように変形されても良い。手順（３８）以外でハンドインが検知される場合、基地局１０は、ハンドインを検知した後で、位置情報を含むメッセージを移動端末５に送信する。
【００８７】
〔移動端末５での処理〕
次に、基地局１０から位置情報を受信した後で移動端末５によって行われる処理の例を説明する。以下の説明でも、移動端末５は、基地局１０Ｂから基地局１０Ａにハンドオーバしてきたとする。この場合、移動端末５は、マクロセルＡＡＡにハンドインする。なお、以下の説明では、基地局１０は、移動端末５に対して移動先となり得るスモールセルの位置情報の他に、周波数帯域やセル半径も通知する場合を例として説明するが、基地局１０がセル半径などを通知しない場合も、以下と同様の処理が行われる。
【００８８】
図１９の位置情報テーブル７１ａは、マクロセルＡＡＡへのハンドインを行うための処理を開始したときに移動端末５が保持している位置情報テーブル７１の例である。移動端末５が基地局１０Ａへのハンドオーバを開始したとき、移動端末５は、基地局１０Ｂが形成するセルＢＢＢから移動し得るスモールセルの位置情報を保持している。このため、位置情報テーブル７１ａは、図１６の位置情報テーブル２１Ｂと同様に、セルｂｂｂ、セルｄｄｄ、および、セルｆｆｆの情報を保持している。
【００８９】
図１８を参照しながら説明したように、移動端末５は、マクロセルＡＡＡにハンドインしたとする。すると、基地局１０Ａは、位置情報テーブル２１Ａ（図１９）を参照して位置情報を含むメッセージを生成し、移動端末５に送信する。移動端末５の受信部５１は、基地局１０から位置情報を含むメッセージを受信すると、更新部６１に出力する。更新部６１は、基地局１０から受信したメッセージに含まれている位置情報が、位置情報テーブル７１ａと同じ情報であるかを判定する。基地局１０から受信したメッセージに含まれている位置情報と、位置情報テーブル７１ａの情報に差がある場合、更新部６１は、位置情報テーブル７１に記録されている情報を消去する。さらに、更新部６１は、受信部５１から入力された位置情報を位置情報テーブル７１に記録する。図１９の例では、移動端末５に保持されている位置情報テーブル７１ａと位置情報テーブル２１Ａは異なる情報であるので、移動端末５には、位置情報テーブル７１ａと異なる位置情報が通知される。そこで、更新部６１は、基地局１０Ａから入力された情報を用いて、位置情報テーブル７１ａを位置情報テーブル７１ｂに更新する。ここで、更新部６１は、基地局１０から受信した位置情報が位置情報テーブル７１の内容と異なる場合、新たに通知されたスモールセルの情報を追加するだけではなく、基地局から通知されていないスモールセルの情報を削除している。このため、移動端末５は、ハンドオーバ前には移動先となり得たスモールセルのうち、ハンドオーバ後は移動先とすることができなくなったスモールセルの情報を消去することができる。
【００９０】
図２０は、位置情報テーブル７１の更新処理の例を説明するフローチャートである。受信部５１は、基地局１０から位置情報を含むメッセージを受信する（ステップＳ５１）。受信部５１はメッセージを更新部６１に出力する。更新部６１は、メッセージを用いて基地局１０から通知された位置情報と、位置情報テーブル７１の内容が一致するかを判定する（ステップＳ５２）。通知された位置情報と、位置情報テーブル７１の内容が一致しない場合、更新部６１は、位置情報テーブル７１の内容を、受信した位置情報と一致するように更新する（ステップＳ５２で不一致、ステップＳ５３）。一方、通知された位置情報と、位置情報テーブル７１の内容が一致する場合、更新部６１は位置情報テーブル７１を更新せずに処理を終了する（ステップＳ５２で一致、ステップＳ５４）。
【００９１】
図２１は、位置情報テーブルを用いたハンドオーバの例を示すシーケンス図である。図２１は、移動端末５がマクロセルＡＡＡにハンドインした後、マクロセルＡＡＡ内を移動し、スモールセルｃｃｃの近傍に来たことにより、基地局１０ｃにハンドオーバするときの処理の例を示す。なお、図２１では、移動端末５は、位置情報テーブル７１ｂ（図１９）を用いる。
【００９２】
（５１）特定部６２は、移動端末５の現在位置を特定する。特定部６２は、例えば、ＧＰＳを含んでおり、ＧＰＳのデータを用いて移動端末５の位置の緯度と経度を求める。特定部６２は、移動端末５の位置の緯度と経度の値を検出部６３に出力する。検出部６３は、位置情報テーブル７１に記録されている各セルの基地局１０の位置と移動端末５の位置の間の距離を、緯度と経度の値を用いて計算する。移動端末５の移動により、移動端末５と基地局１０ｃの間の距離が閾値以下になったとする。
【００９３】
（５２）検出部６３は、通信を確立している基地局１０Ａに対して、通知情報を送信することによりスモールセルｃｃｃに接近したことを通知する。ここで、通知情報は、移動先となり得るセルへの接近を通知するために使用可能な任意のメッセージとすることができる。例えば、検出部６３は、Ｐｒｏｘｉｍｉｔｙ  Ｉｎｄｉｃａｔｉｏｎを用いて、基地局１０Ａに対する通知を行うことができる。検出部６３は、基地局１０Ａに送信するメッセージを生成し、送信部５２に出力する。送信部５２は、検出部６３から入力されたメッセージを、基地局１０Ａに送信する。
【００９４】
（５３）基地局１０Ａのハンドオーバ処理部１６Ａは、移動端末５からの通知に応じて、移動先となり得るセルを形成している基地局１０の物理セルＩＤを取得するための情報を移動端末５に送信する。ここでは、基地局１０Ａは、スモールセルｃｃｃの物理セルＩＤを取得するときに使用する情報を、移動端末５に送信する。
【００９５】
ところで、図７などを参照して述べたとおり、マクロセルＡＡＡの周波数帯域は２．２ＧＨｚであるのに対し、スモールセルｃｃｃでは８００ＭＨｚが使用されている。また、物理セルＩＤは、スモールセルｃｃｃを介した通信を移動端末５が開始するために使用される。このため、基地局１０Ａは、手順（５３）により、移動端末５がスモールセルｃｃｃでの通信に使用されている周波数帯域での通信の開始に使用する情報を、移動端末５に通知しているといえる。
【００９６】
（５４）ハンドオーバ処理部６４は、基地局１０Ａから通知された情報を用いて、スモールセルｃｃｃの物理セルＩＤを取得し、基地局１０Ａに通知する。
【００９７】
（５５）基地局１０Ａのハンドオーバ処理部１６Ａは、移動端末５に、移動先のスモールセルについての情報（System Information、ＳＩ）の報告を要求する。
【００９８】
（５６）移動端末５のハンドオーバ処理部６４は、基地局１０ｃから報知されている報知情報を受信し、報知情報からＣＧＩ（Cell Global Identity）、ＴＡＩ（Tracking Area Identify）などの情報を取得する。
【００９９】
（５７）ハンドオーバ処理部６４は、取得した情報を基地局１０Ａに送信する。
【０１００】
（５８）移動端末５が基地局１０Ａから基地局１０ｃにハンドオーバするための処理が行われる。ここでの処理は、図１８を参照しながら説明した処理と同様である。基地局１０ｃは、移動端末５がスモールセルｃｃｃにハンドインしたことを検知すると、基地局１０ｃが保持している位置情報を含むメッセージを、移動端末５に送信する。このため、移動端末５では、基地局１０Ａから基地局１０ｃへのハンドオーバにより、位置情報テーブル７１ｂ（図１９）が、位置情報テーブル７１ｃ（図１９）に示すように更新される。このため、移動端末５は、さらに移動しても、スモールセルｃｃｃからの移動先となり得るスモールセルを検出できる。
【０１０１】
図２２は、第１の実施形態の通信例を示す図である。図２２の例では、マクロセルＤＤＤとマクロセルＥＥＥが互いに隣接している。また、マクロセルＤＤＤの中にスモールセルｇｇｇとスモールセルｈｈｈがあり、マクロセルＥＥＥの中にスモールセルｊｊｊとスモールセルｋｋｋがある。図２２は、時刻Ｔ１〜Ｔ３における移動端末５の移動の軌跡を示している。例えば、Ｔ１は、時刻Ｔ１での移動端末５の位置を示す。
【０１０２】
時刻Ｔ１では、移動端末５はマクロセルＤＤＤに在圏しており、基地局１０Ｄから移動先となり得るスモールセルの情報を取得する。従って、時刻Ｔ１には、移動端末５は、スモールセルｇｇｇ、ｈｈｈ、ｊｊｊの位置情報を、基地局１０Ｄから取得し、その他のスモールセルの情報を廃棄する。このため、スモールセルｈｈｈに在圏したことがなくても、移動端末５は、スモールセルｈｈｈの近傍に来たときに、スモールセルｈｈｈが近くにあることを検出できる。
【０１０３】
時刻Ｔ２に、移動端末５がマクロセルＤＤＤからスモールセルｈｈｈに移動したとする。このとき、基地局１０ｈは、移動先となり得るスモールセルとして、スモールセルｇｇｇ、ｊｊｊの位置情報を移動端末５に通知し、移動端末５は位置情報テーブル７１を更新する。この処理により、移動端末５は通信中のセルｈｈｈについての位置情報を削除し、メモリを効率的に使用することができる。
【０１０４】
時刻Ｔ３に、移動端末５がスモールセルｈｈｈからスモールセルｊｊｊに移動したとする。このとき、基地局１０ｊは、移動先となり得るスモールセルとして、スモールセルｈｈｈ、ｋｋｋの位置情報を移動端末５に通知する。すると、移動端末５は、位置情報テーブル７１を基地局１０ｊから通知された内容に更新し、スモールセルｇｇｇの情報を削除する。従って、移動端末５は、Ｔ３の時点で通信に使用しているセルから直接移動する可能性の低いセルの情報を保持しなくても良い。
【０１０５】
このように、移動端末５は、ハンドオーバ先の基地局１０から、移動先となり得るスモールセルの情報を取得できる。このため、移動端末５は、在圏したことのないスモールセルであっても、効率的に発見することができる。また、移動端末５は、基地局１０からの通知に合わせて位置情報テーブル７１の内容を更新するので、移動端末５が位置しているセルから移動する可能性の低いスモールセルの位置情報を保持しなくても良い。このため、移動端末５は、メモリを有効に活用できる。さらに、移動端末５は、スモールセルとの間の距離が所定の閾値以下になったときに受信電力の測定や物理セルＩＤの取得などの処理を行う。このため、通信ができないほど遠いスモールセルの物理セルＩＤの取得を試みて電力を消費してしまう事態も回避できる。
【０１０６】
＜第２の実施形態＞
マクロセルの基地局１０は、マクロセルを複数のセクタに分けて管理することが多い。第２の実施形態では、各基地局１０が、セクタごとに、移動端末５が移動先とする可能性があるスモールセルを記憶する場合について説明する。第２の実施形態は、スモールセルが密集して設置されているなどの理由により、移動端末５に通知する位置情報の量を限定したい場合に効果的である。
【０１０７】
以下、サーバ３０がセクタごとに、移動先となり得るスモールセルを特定し、各基地局１０に通知する場合を例として、第２の実施形態を説明する。なお、この例では、説明を簡単にするために、１つのマクロセル中のセクタの配置方法は、予め各基地局１０で共通しており、サーバ３０もセクタの配置方法を特定するための情報を予め保持しているものとする。例えば、以下の例では、各マクロセルにおいて、基地局の設置位置から北の方角を基準として、６０度ずつの６つのセクタに分けられているものとする。また、セクタ番号は、基地局の設置位置の真北から時計回りに６０度の範囲のセクタを「１」として、時計回りに1つずつ大きくなるものとする。
【０１０８】
図２３に、マクロセルのセクタとスモールセルの配置の例を示す。図２３の例では、マクロセルＡＡＡでは、セクタ１とセクタ２がスモールセルｂｂｂと一部の領域を共有し、セクタ４がスモールセルｃｃｃと一部の領域を共有している。マクロセルＡＡＡのセクタ２は、スモールセルｄｄｄと接している。さらに、マクロセルＡＡＡでは、セクタ３がスモールセルｅｅｅに接しており、セクタ６がスモールセルａａａに接している。また、マクロセルＡＡＡのセクタ５は、スモールセルａａａを包含している。マクロセルＢＢＢでは、セクタ１がスモールセルｆｆｆを包含している。マクロセルＢＢＢのセクタ５は、スモールセルｄｄｄを包含し、さらに、スモールセルｂｂｂと一部の領域を共有している。マクロセルＢＢＢのセクタ２は、スモールセルｆｆｆに接している。
【０１０９】
サーバ３０の更新部３２は、第１の実施形態と同様の方法でマクロセル情報テーブル４１とスモールセル情報テーブル４２を更新する。検索部３３は、図９を参照しながら説明した手順により、各マクロセルについて、そのマクロセルからの移動先となり得るスモールセル（割り当てスモールセル）を割り当てることにより、マクロセル管理テーブル４３を得る。次に、検索部３３は、各マクロセルについて、割り当てスモールセルの数が所定の閾値を超えたかを判定する。割り当てスモールセルの数が所定の閾値を超えた場合、検索部３３は、マクロセル中の各セクタとスモールセルをマッピングし、セクタごとに、１点以上を共有しているスモールセルを特定する。検索部３３は、特定したスモールセルを、マクロセルのセクタごとに対応付けた情報をマクロセル管理テーブル４３に記録する。
【０１１０】
例えば、図２３に示すようにマクロセルの各セクタとスモールセルが配置されている場合、更新部３２と検索部３３が第１の実施形態と同様の処理により、図１０に示すマクロセル管理テーブル４３ｃを生成する。ここで、検索部３３は、マクロセルごとの割り当てスモールセルが３以上のときにセクタごとに割り当てスモールセルを管理するように設定されているとする。すると、マクロセルＡＡＡとマクロセルＢＢＢのいずれについても、割り当てスモールセルが３以上であるので、検索部３３は、セクタごとに割り当てスモールセルを管理することを決定する。検索部３３は、マクロセルＡＡＡとマクロセルＢＢＢのセクタと、スモールセルの位置をマッピングすることにより、図２３に示す配置を特定する。さらに、例えば、マクロセルＡＡＡのセクタ１と１点以上共有しているスモールセルはスモールセルｂｂｂであることを特定する。他のセクタについても同様に特定処理を行い、マクロセル管理テーブル４３ｃ（図１０）を、図２４に示すマクロセル管理テーブル４３ｄに更新する。
【０１１１】
また、サーバ３０は、あるマクロセルについて、スモールセルをセクタ単位での管理に切り替えることが要求された場合も、セクタ単位でスモールセルを管理する。マクロセル管理テーブル４３やスモールセル管理テーブル４４の生成方法は、割り当てスモールセルの数が閾値を超えたときと同様である。サーバ３０は、他の装置からセクタ単位での管理への切り替えの要求を受信してもよく、また、入力装置１２３を介してオペレータから要求を受け付けても良い。
【０１１２】
図２５は、第２の実施形態での検索部３３の処理の例を説明するフローチャートである。図２５は、マクロセル管理テーブル４３の更新方法の例を示す。なお、図２５は一例であり、例えば、ステップＳ６２とステップＳ６３の順序を入れ替えるなどの変更が可能である。また、図２５の処理では、変数ｒ、ｓ、ｔが使用される。ここで、ｒはマクロセルを識別する変数であり、ｓはセクタを識別する変数であり、ｔはスモールセルを識別する変数である。
【０１１３】
検索部３３は、各マクロセルについて割り当てスモールセルを決定する（ステップＳ６１）。ステップＳ６１の処理は、図９を参照しながら説明したとおりである。検索部３３は、マクロセルの総数Ｍを取得し、変数ｒを１に設定する（ステップＳ６２、Ｓ６３）。検索部３３は、ｒ番目のマクロセルについて、割り当てスモールセルが予め決定された閾値を超えているかを判定する（ステップＳ６４）。割り当てスモールセルが予め決定された閾値を超えていない場合、検索部３３は、さらに、ｒ番目のマクロセルについてセクタ単位の管理が要求されたかを判定する（ステップＳ６４でＮｏ、ステップＳ６５）。
【０１１４】
割り当てスモールセルが予め決定された閾値を超えている場合、検索部３３は、ｒ番目のマクロセル中のセクタ数（Ｘ）と、ｒ番目のマクロセルの割り当てスモールセルの数（Ｙ）を取得する（ステップＳ６４でＹｅｓ、ステップＳ６６）。同様に、ｒ番目のマクロセルについてセクタ単位の管理が要求された場合も、検索部３３は、ｒ番目のマクロセルについて、セクタ数と割り当てスモールセルの数を取得する（ステップＳ６５でＹｅｓ、ステップＳ６６）。検索部３３は、変数ｓと変数ｔをいずれも１に設定する（ステップＳ６７、Ｓ６８）。検索部３３は、ｓ番目のセクタとｔ番目の割り当てスモールセルが１点以上を共有しているかを判定する（ステップＳ６９）。ｓ番目のセクタとｔ番目の割り当てスモールセルが１点以上を共有している場合、検索部３３は、ｔ番目のスモールセルをｓ番目のセクタへの割り当てスモールセルとする（ステップＳ６９でＹｅｓ、ステップＳ７０）。
【０１１５】
その後、検索部３３は、変数ｔの値を１つインクリメントし、変数ｔが処理対象のマクロセルでの割り当てスモールセルの数（Ｙ）よりも大きいかを判定する（ステップＳ７１、Ｓ７２）。変数ｔがＹ以下の場合、検索部３３は、ステップＳ６９以降の処理を繰り返す（ステップＳ７２でＮｏ）。変数ｔがＹを超えると、検索部３３は、変数ｓの値を１つインクリメントし、変数ｓが処理対象のマクロセルでのセクタ数（Ｘ）よりも大きいかを判定する（ステップＳ７２でＹｅｓ、ステップＳ７３、Ｓ７４）。変数ｓがＸ以下の場合、検索部３３は、ステップＳ６８以降の処理を繰り返す（ステップＳ７４でＮｏ）。変数ｓがＸを超えると、検索部３３は、変数ｒの値を１つインクリメントし、変数ｒがマクロセル数（Ｍ）よりも大きいかを判定する（ステップＳ７４でＹｅｓ、ステップＳ７５、Ｓ７６）。変数ｒがＭ以下の場合、検索部３３は、ステップＳ６４以降の処理を繰り返す（ステップＳ７６でＮｏ）。一方、変数ｒがＭを越えると、検索部３３は、処理を終了する（ステップＳ７６でＹｅｓ）。なお、ステップＳ６５において、ｒ番目のマクロセルについてセクタ単位の管理が要求されていないと判定すると、検索部３３は、処理対象のマクロセルを変更するために、ステップＳ７５以降の処理を行う（ステップＳ６５でＮｏ）。
【０１１６】
マクロセル管理テーブル４３の更新が終わると、検索部３３は、スモールセル管理テーブル４４を更新する。マクロセルのセクタごとに割り当てスモールセルを決定した場合、検索部３３は、あるスモールセルに対する割り当てスモールセルは、そのスモールセルが割り当てられたセクタと同じセクタから移動可能なスモールセルとする。例えば、マクロセル管理テーブル４３ｄ（図２４）が得られているとする。この場合、検索部３３は、スモールセルａａａをキーとして割り当てスモールセルの欄を検索しても、複数のスモールセルが割り当てスモールセルとなっているセクタを発見できない。このため、検索部３３は、スモールセルａａａからの移動先となり得るスモールセルはないと判定し、図２６に示すように、スモールセルａａａには、割り当てスモールセルを設定しない。検索部３３は、スモールセルｃｃｃ、スモールセルｅｅｅ、スモールセルｆｆｆに対しても、同様に処理を行う。
【０１１７】
検索部３３がスモールセルｂｂｂをキーとして割り当てスモールセルの欄を検索すると、マクロセルＡＡＡのセクタ２では、スモールセルｂｂｂとスモールセルｄｄｄが、割り当てスモールセルであることを特定できる。このため、検索部３３は、スモールセルｂｂｂからスモールセルｄｄｄに移動端末５が移動する可能性があると判定し、図２６に示すように、スモールセルｂｂｂの割り当てスモールセルをスモールセルｄｄｄとする。検索部３３は、マクロセルＢＢＢのセクタ５でも、スモールセルｂｂｂとスモールセルｄｄｄが割り当てスモールセルであることを特定する。このときは、マクロセルＡＡＡのセクタ２のデータを処理したことにより、既にスモールセルｄｄｄはスモールセルｂｂｂの割り当てスモールセルであるので、スモールセル管理テーブル４４を変更しない。検索部３３は、スモールセルｄｄｄについても同様の処理を行う。
【０１１８】
図２７は、第２の実施形態での検索部３３の処理の例を説明するフローチャートである。図２７は、スモールセル管理テーブル４４の更新方法の例を示す。図２７のステップＳ８１〜Ｓ８５の処理は、図１１のステップＳ３１〜Ｓ３５と同様である。検索部３３は、マクロセル管理テーブル４３中のｑ番目のマクロセルのエントリの割り当てスモールセルにｐ番目のスモールセルが含まれている場合、ｐ番目のスモールセルと同じセクタに割り当てられたスモールセルを特定する（ステップＳ８５でＹｅｓ）。検索部３３は、ｐ番目のスモールセルが割り当てられたセクタと同じマクロセルの同じセクタに割り当てられたスモールセルのうち、ｐ番目のスモールセル以外のスモールセルを、ｐ番目のスモールセルの割り当てスモールセルとする（ステップＳ８６）。ステップＳ８７〜Ｓ９０は、図１１のステップＳ３７〜Ｓ４０と同様である。
【０１１９】
サーバ３０から各基地局１０への移動先セル情報の通知、基地局１０から移動端末５への位置情報の通知、移動端末５での処理は、第１の実施形態と同様である。ただし、第２の実施形態では、サーバ３０は、セクタごとの割り当てスモールセルを通知する。このため、例えば、基地局１０Ａは、図２４のうち、物理セルＩＤ＝ＡＡＡに対応付けられた情報を、サーバ３０から取得する。また、基地局１０は、移動端末５との通信に使用しているセクタの識別子を特定し、通信先の移動端末５に応じたセクタに対応付けて保持している位置情報を送信するものとする。このため、例えば、図２３に示す配置において、マクロセルＡＡＡのセクタ１で通信している移動端末５に対して、基地局１０Ａは、スモールセルｂｂｂの情報を通知するが、他のスモールセルの情報は通知しない。基地局１０が移動端末５との通信に使用しているセクタの情報は、例えば、移動端末５の位置情報から特定するなどの任意の方法により、特定される。
【０１２０】
なお、第２の実施形態では、１つのマクロセルが６セクタに分けられる場合を例として説明したが、１つのマクロセルに含まれるセクタ数は、実装に応じて任意に変更され得る。また、スモールセルの管理をセル単位からセクタ単位に変更するかを判定するときに用いる閾値も、実装に合わせて任意に設定される。
【０１２１】
このように、第２の実施形態では、各基地局１０は、セクタごとに移動端末５が移動先とする可能性があるスモールセルを記憶するので、移動端末５に通知する位置情報の量を抑制することができる。このため、基地局１０は、移動端末５が移動先とする可能性が相対的に高いスモールセルの位置情報に絞って、移動端末５に通知することができる。
【０１２２】
＜第３の実施形態＞
第３の実施形態では、基地局１０が移動端末５へ位置情報を通知するタイミングを変更可能な場合について説明する。なお、第３の実施形態では、サーバ３０での割り当てスモールセルの決定方法は、第１および第２の実施形態のいずれでもよい。また、サーバ３０から各基地局１０への移動先セル情報の通知、および、移動端末５での処理は、第１の実施形態と同様である。
【０１２３】
基地局１０の調整部１７は、基地局１０から送信された位置情報を使用する可能性が低い移動端末５への位置情報の送信を防ぐために、移動端末５がハンドインしてから位置情報を送信するまでの期間を情報送信リストに設定することができる。例えば、移動速度が速い移動端末５は、基地局１０が形成しているセルでの滞在時間が短く、近傍のスモールセルにアクセスしない可能性が高い。また、基地局１０が駅や高速道路の近くなどに設置されている場合、ハンドインしてくる移動端末５の滞在時間は短く、スモールセルにアクセスしない可能性が高い。そこで、調整部１７は、基地局１０へのハンドオーバ数や移動端末５の移動速度に合わせて、位置情報を送信するタイミングを調整できる。
【０１２４】
図２８は、情報送信リストの例である。情報送信リストには、基地局１０が形成しているセルにハンドインしてきた移動端末５ごとに、位置情報を送信するタイミングを決定するための情報が含まれている。図２８の例では、基地局タイマと速度タイマの２種類のタイマが使用される。優先タイマは、２種類のうちのいずれのタイマを優先的に使用するかを示す情報である。タイマは、ハンドインからの経過時間のカウント値である。優先的に使用されるタイマの設定時間と、タイマでのカウント値（経過時間）が同じ値になると、調整部１７は、位置情報を移動端末５に送信する。
【０１２５】
基地局タイマは、基地局１０ごとに決定される共通の値である。基地局１０の調整部１７は、その基地局１０でのハンドオーバの発生数をカウントしており、一定時間以内に発生したハンドオーバ数を閾値Ｔｈと比較する。調整部１７は、一定時間以内に発生したハンドオーバ数が閾値Ｔｈを越えると、基地局タイマの値を大きくする。例えば、基地局１０の初期設定では、基地局タイマの値は０秒であるとする。すると、基地局タイマが優先されている場合、基地局１０は、移動端末５がハンドインしてきたことをトリガとして、移動端末５に位置情報を送信する。一定時間以内に発生したハンドオーバ数が閾値Ｔｈを越えると、調整部１７は、基地局タイマの値を大きくする。例えば、調整部１７は、図２８に示すように、基地局タイマの値を５秒に設定したとする。すると、調整部１７は、移動端末５がハンドインしてきても、ハンドインから５秒が経過するまでは、位置情報を移動端末５に通知しない。なお、一定時間中に発生するハンドオーバの数は、複数の閾値と比較されても良い。この場合、基地局タイマの設定値は、一定時間以内に発生したハンドオーバの値が大きいほど、大きな値となるものとする。
【０１２６】
速度タイマは、移動端末５ごとに設定するタイマである。調整部１７は、ハンドインしてきた移動端末５の移動速度を取得する。移動端末５の移動速度の取得方法は、任意である。例えば、基地局１０に計算部１８が含まれている場合、計算部１８は、ハンドインしたタイミングでの移動端末５の速度を計算し、得られた値を移動端末５の識別子に対応付けて調整部１７に出力する。また、基地局１０は、ハンドオーバの処理の際に、ハンドオーバ元の基地局１０から移動端末５の移動速度を取得しても良いものとする。調整部１７は、予め、移動端末５の移動速度と速度タイマの設定値を対応付けた情報を保持している。なお、速度タイマの設定値は、移動端末５の移動速度が速いほど、大きな値となるものとする。図２８の例では、１１１１１１１１と４４４４４４４４の端末識別子で識別される端末の移動速度は、２２２２２２２２の端末識別子で識別される端末の移動速度よりも小さい。このため、調整部１７は、１１１１１１１１と４４４４４４４４の端末識別子で識別される端末に対して、速度タイマを０秒に設定し、２２２２２２２２の端末識別子で識別される端末の速度タイマを５秒に設定している。さらに、３３３３３３３３３の端末識別子で識別される端末の移動速度は、他の端末の移動速度よりも速いため、速度タイマを１０秒に設定している。
【０１２７】
図２８の例では、いずれの端末についても優先タイマは速度タイマである。そこで、調整部１７は、各移動端末５について、ハンドインからの経過時間が、速度タイマの設定時間と同じ値になると、位置情報を移動端末５に送信する。従って、１１１１１１１１と４４４４４４４４の端末識別子で識別される端末には、調整部１７は、ハンドインしたタイミングで、位置情報を送信する。一方、調整部１７は、２２２２２２２２の端末識別子で識別される端末には、ハンドインから５秒後に位置情報を送信し、１１１１１１１１１の端末識別子で識別される端末には、ハンドインから１０秒後に位置情報を送信する。
【０１２８】
図２９は、第３の実施形態での位置情報の通知方法の例を説明するシーケンス図である。手順（６１）、（６２）は、図１７を参照しながら説明した手順（２１）、（２２）と同様である。
【０１２９】
（６３）調整部１７は、ハンドインが通知されると、ハンドインしてきた移動端末５の情報を情報送信リストに追加する。情報送信リストの設定方法は、図２８を参照しながら説明したとおりである。
【０１３０】
（６４）調整部１７は、情報送信リストへの登録が終わると、記憶部２０中の位置情報テーブル２１にアクセスすることにより、位置情報を取得する。調整部１７は、取得した位置情報を用いて、移動端末５宛に送信するためのメッセージを生成する。
【０１３１】
（６５）調整部１７は、情報送信リストを参照し、生成したメッセージの送信タイミングになるまで、メッセージを保持する。
【０１３２】
（６６）タイマの値が、優先的に使用されるタイマの設定時間と同じ値になると、調整部１７は、位置情報を含むメッセージを送信部１４に出力する。
【０１３３】
（６７）送信部１４は、調整部１７から入力されたメッセージを移動端末５に送信する。移動端末５は、基地局１０から受信したメッセージを用いて位置情報テーブル７１を更新する。
【０１３４】
第３の実施形態では、基地局１０は、移動端末５の移動速度などを用いて、その移動端末５が通知された位置情報を使用する可能性が高いかを判定する。さらに、調整部１７は、位置情報を使用する可能性が低い移動端末５については、ハンドインから位置情報を送信するまでの時間を長く設定する。このため、移動速度の速い移動端末５は、基地局１０から位置情報を受信する前に基地局１０の通信エリアの外へ移動していることがあり、この場合、移動端末５は、使用する見込みのない位置情報の受信処理や位置情報の保持などの処理を行わない。このため、移動端末５の処理負担を軽くすることができる。
【０１３５】
＜その他＞
なお、本発明の実施形態は、上述の構成又は方法に限られるものではなく、様々に変形可能である。以下にその例をいくつか述べる。
【０１３６】
第１〜第３の実施形態では、基地局１０は位置情報をサーバ３０から取得する場合を例として説明したが、基地局１０は、サーバ３０以外の装置から位置情報を取得することもできる。
【０１３７】
例えば、サーバ３０や基地局１０は、セル半径の代わりに各基地局１０での送信電力を取得しても良いものとする。この場合、以下の式を用いて、受信電力ＰＲの値が所定の閾値を下回る距離までをセル半径とすることができる。
【数１】
2015019406.tif 000003
ここで、ＰＴは送信電力（Ｗ）、ＧＲは受信利得、ＧＴは送信利得、λは波長、Ｄは距離である。
【０１３８】
ハンドオーバが頻発することによる処理負荷を軽減するために、移動端末５が位置情報テーブル７１の更新処理を行うかを、単位時間当たりのハンドオーバの発生回数を用いて判定するように変形しても良い。この場合、更新部６１は、単位時間当たりのハンドオーバの発生回数をカウントするものとする。更新部６１は、単位時間当たりのハンドオーバの発生回数が所定の閾値を越えると、基地局１０から位置情報を通知されても、位置情報テーブル７１を更新しない。位置情報テーブル７１の更新を行わない場合、スモールセルを正確に検出できない場合があり得るが、位置情報テーブル７１の更新などに伴う処理を行わないことにより、移動端末５の負荷は軽減される。また、更新部６１は、移動端末５の電源の残量をモニタしていて、電源の残量が少なくなると、位置情報テーブル７１の更新を停止することにより、消費電力を抑えることができる。このように変形された移動端末５は、例えば、ハンドオーバのたびに位置情報テーブル７１を更新しなくてもスモールセルを発見できるほどスモールセルの設置数が多い場所での使用に適している。また、このように変形された移動端末５を、第３の実施形態と組み合わせて使用することができる。
【０１３９】
第３の実施形態において、調整部１７は、タイマ満了時に移動端末５がセル内に存在するかを判定してから、位置情報を含むメッセージを移動端末５に送信するように変形することもできる。この場合、例えば、調整部１７は、通信中の移動端末５の識別情報を記録したリストを、メッセージを送信しようとする移動端末５の識別情報をキーとして検索することができる。タイマの満了時に送信先の移動端末５が在圏している場合、調整部１７は、メッセージを移動端末５に送信する。一方、タイマの満了時に送信先の移動端末５が在圏していない場合、調整部１７は、移動端末５へのメッセージの送信を中止し、メッセージを破棄する。このように変形すると、基地局１０は、位置情報を使用する見込みの無い移動端末５に位置情報を送信しないですむので、基地局１０の処理負担も軽くなる。
【０１４０】
さらに、スモールセルの基地局が、そのスモールセルと１点以上を共有するマクロセルの情報も保持するように変形することもできる。この場合、移動端末５がスモールセルへハンドインすると、そのスモールセルと１点以上を共有するマクロセルの情報も、移動端末５に通知される。例えば、マクロセルＡに含まれているスモールセルｂにハンドインした移動端末５は、マクロセルＡと１点以上を共有するスモールセルと、マクロセルＡの位置情報やセル半径などを取得できる。すると、移動端末５は、スモールセルｂから出るときに、マクロセルＡのエリアに入るかを判定することができる。
【符号の説明】
【０１４１】
１  ネットワーク
５  移動端末
１０  基地局
１１  信号処理部
１２  無線処理部
１３、３１、５１  受信部
１４、３５、５２  送信部
１５、３２、６１  更新部
１６、６４  ハンドオーバ処理部
１７  調整部
１８  計算部
２０、４０、７０  記憶部
２１、７１  位置情報テーブル
３０  サーバ
３３  検索部
３４  選択部
４１  マクロセル情報テーブル
４２  スモールセル情報テーブル
４３  マクロセル管理テーブル
４４  スモールセル管理テーブル
６２  特定部
６３  検出部
１０１、１１１  アンテナ
１０２、１１２  アンプ
１０３、１１３  ベースバンド処理回路
１０４、１１４、１２１  プロセッサ
１０５、１１５、１２２  メモリ
１０６  伝送路インタフェース
１２３  入力装置
１２４  出力装置
１２５  バス
１２６  外部記憶装置
１２７  媒体駆動装置
１２８  可搬記憶媒体
１２９  ネットワーク接続装置
【図１】
2015019406.tif 000004
【図２】
2015019406.tif 000005
【図３】
2015019406.tif 000006
【図４】
2015019406.tif 000007
【図５】
2015019406.tif 000008
【図６】
2015019406.tif 000009
【図７】
2015019406.tif 000010
【図８】
2015019406.tif 000011
【図９】
2015019406.tif 000012
【図１０】
2015019406.tif 000013
【図１１】
2015019406.tif 000014
【図１２】
2015019406.tif 000015
【図１３】
2015019406.tif 000016
【図１４】
2015019406.tif 000017
【図１５】
2015019406.tif 000018
【図１６】
2015019406.tif 000019
【図１７】
2015019406.tif 000020
【図１８】
2015019406.tif 000021
【図１９】
2015019406.tif 000022
【図２０】
2015019406.tif 000023
【図２１】
2015019406.tif 000024
【図２２】
2015019406.tif 000025
【図２３】
2015019406.tif 000026
【図２４】
2015019406.tif 000027
【図２５】
2015019406.tif 000028
【図２６】
2015019406.tif 000029
【図２７】
2015019406.tif 000030
【図２８】
2015019406.tif 000031
【図２９】
2015019406.tif 000032
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
第１のセルに在圏する移動端末と無線通信が可能な基地局装置であって、
前記移動端末の移動先となり得る第２のセルの位置情報を記憶する記憶部と、
前記移動端末に前記第２のセルの位置情報を送信し、前記移動端末に前記位置情報を用いて前記第２のセルへの接近を検知させる送信部
を備える基地局装置。
【請求項２】
第１の周波数帯域での通信が行われる前記第１のセルから、前記第１の周波数帯域とは異なる第２の周波数帯域での通信が行われる前記第２のセルへ、前記移動端末がハンドオーバするための処理を行うハンドオーバ処理部
をさらに備え、
前記ハンドオーバ処理部は、前記移動端末が前記第２のセルへの接近を検知したことを前記移動端末から通知された後に、前記移動端末が前記第２の周波数帯域での通信の開始に使用する情報を、前記送信部を介して、前記移動端末に送信する
ことを特徴とする請求項１に記載の基地局装置。
【請求項３】
前記第１のセルを用いた通信の開始を要求する要求メッセージを、前記移動端末から受信する受信部
をさらに備え、
前記送信部は、前記受信部が前記要求メッセージを受信すると、前記位置情報を前記移動端末に送信する
ことを特徴とする請求項１または２に記載の基地局装置。
【請求項４】
前記第１のセルを用いた通信の開始を要求する要求メッセージを、前記移動端末から受信する受信部と、
前記移動端末の移動速度を計算する計算部と、
前記要求メッセージの受信から、前記位置情報の送信を行うまでの時間間隔を、前記移動速度が速いほど長くなるように調整する調整部
をさらに備え、
前記送信部は、前記時間間隔が経過すると、前記位置情報を前記移動端末に送信する
ことを特徴とする請求項１または２に記載の基地局装置。
【請求項５】
前記記憶部は、前記第１のセルを分割することにより得られる複数のセクタの各々を識別するセクタ識別子と、前記セクタ識別子で識別されるセクタと少なくとも１点を共有するセルを対応付けて記憶し、
前記送信部は、前記移動端末が位置するセクタと少なくとも１点を共有するセルの位置情報を、前記移動端末に通知する
ことを特徴とする請求項１〜４のいずれか１項に記載の基地局装置。
【請求項６】
第１のセルで基地局装置と通信可能な移動端末であって、
前記第１のセルからの移動先となり得る第２のセルの位置情報を前記基地局装置から受信する受信部と、
前記移動端末の位置を特定する特定部と、
前記位置情報および前記移動端末の位置を用いて前記第２のセルへの接近を検出する検出部と、
前記第２のセルへの接近を通知する通知情報を、前記基地局装置に送信する送信部
を備える移動端末。
【請求項７】
第１の周波数帯域での通信が行われる前記第１のセルから、第２の周波数帯域で通信が行われる前記第２のセルへハンドオーバするための処理を行うハンドオーバ処理部
を備え、
前記送信部は、前記第１の周波数帯域を使用して、前記通知情報を前記基地局装置に送信し、
前記受信部は、前記第２の周波数帯域での通信の開始に用いる開始情報を、前記送信部が前記通知情報を送信した後に、前記基地局装置から受信し、
前記ハンドオーバ処理部は、前記開始情報を用いて、前記第１のセルから前記第２のセルへのハンドオーバを行う
ことを特徴とする請求項６に記載の移動端末。
【請求項８】
第１のセルを提供する基地局装置と、
前記第１のセルで基地局装置と通信可能な移動端末、
を備え、
前記基地局装置は、前記移動端末の移動先となり得る第２のセルの位置情報を、前記移動端末に送信し、
前記移動端末は、
前記移動端末の位置を特定し、
前記位置情報および前記移動端末の位置を用いて前記第２のセルへの接近を検出し、
前記第２のセルへの接近を通知する通知情報を、前記基地局に送信する
ことを特徴とする無線通信システム。
【請求項９】
前記第１のセルで第１の周波数帯域を用いた通信が行われ、
前記第２のセルで第２の周波数帯域での通信が行われ、
前記基地局装置は、前記通知情報を受信すると、前記移動端末が前記第２の周波数帯域での通信の開始に使用する開始情報を、前記移動端末に送信し、
前記移動端末は、前記開始情報を用いて、前記第２のセルを用いた通信を開始する
ことを特徴とする請求項８に記載の無線通信システム。
【手続補正２】
【補正対象書類名】明細書
【補正対象項目名】００６５
【補正方法】変更
【補正の内容】
【００６５】
例えば、スモールセルｄｄｄの基地局１０ｄに送信する移動先セル情報を生成する場合、選択部３４は、スモールセル管理テーブル４４ｂ（図１２）から、セルｄｄｄに対応付けられている割り当てスモールセルを特定する。セルｄｄｄに対応付けられている割り当てスモールセルは、セルａａａ、セルｂｂｂ、セルｃｃｃ、セルｅｅｅ、セルｆｆｆである。選択部３４は、特定したセルの各々について、位置情報などをスモールセル管理テーブル４４から取得することにより、移動先セル情報を生成する。選択部３４は、他のスモールセルの基地局１０についても、同様の処理により、移動先セル情報を生成する。
【手続補正３】
【補正対象書類名】明細書
【補正対象項目名】０１２７
【補正方法】変更
【補正の内容】
【０１２７】
図２８の例では、いずれの端末についても優先タイマは速度タイマである。そこで、調整部１７は、各移動端末５について、ハンドインからの経過時間が、速度タイマの設定時間と同じ値になると、位置情報を移動端末５に送信する。従って、１１１１１１１１と４４４４４４４４の端末識別子で識別される端末には、調整部１７は、ハンドインしたタイミングで、位置情報を送信する。一方、調整部１７は、２２２２２２２２の端末識別子で識別される端末には、ハンドインから５秒後に位置情報を送信し、３３３３３３３３の端末識別子で識別される端末には、ハンドインから１０秒後に位置情報を送信する。
【手続補正４】
【補正対象書類名】図面
【補正対象項目名】図２４
【補正方法】変更
【補正の内容】
【図２４】
2015019406.tif 000033
【手続補正５】
【補正対象書類名】図面
【補正対象項目名】図２７
【補正方法】変更
【補正の内容】
【図２７】
2015019406.tif 000034
【国際調査報告】
2015019406.tif 000035
2015019406.tif 000036